(57)【要約】【課題】  施工作業性に優れ、精度よく型枠を配置することが可能な型枠固定金具等を提供する。【解決手段】  平板部３は、略平坦な部位であり、平板部３の端部に、平板部３に対して略垂直に起立する一対の壁部５が形成される。一対の壁部５は、互いに所定の角度で形成される。平板部３の一部には、直線部７が形成される。直線部７は、それぞれの壁部５と略平行に形成される。すなわち、一対の直線部７同士は、一対の壁部５の形成角度と同様の角度で形成される。それぞれの直線部７の延長線上であって、それぞれの延長線の交点近傍には、孔９が形成される。孔９は、例えば円形の貫通孔である。【選択図】図１
2019027137.tif 000002
【特許請求の範囲】
【請求項１】
型枠用の固定金具であって、
平板部と、
前記平板部に対して起立し、互いに所定の角度で形成される一対の壁部と、
前記平板部に形成され、前記所定の角度で前記壁部に略平行に形成される一対の直線部と、
前記平板部に形成され、前記直線部の延長線の交点近傍に形成される孔又は切欠き部と、
を具備することを特徴とする型枠固定金具。
【請求項２】
前記壁部と対向する位置に、前記平板部に対して突起部が起立し、前記壁部と前記突起部との間に型枠を挿入可能であることを特徴とする請求項１記載の型枠固定金具。
【請求項３】
請求項１または請求項２に記載の型枠固定金具を用いた型枠の設置方法であって、
コンクリートの上面の型枠の設置位置に墨出しを行い、
墨線の交点に前記型枠固定金具の前記孔または切欠きの位置を合わせ、前記直線部を、墨線の直線に合わせて前記型枠固定金具を配置して、コンクリートに前記型枠固定金具を固定し、
前記型枠固定金具に、一対の型枠を設置して固定することを特徴とする型枠の設置方法。
【発明の詳細な説明】
【技術分野】
【０００１】
本発明は、型枠の角部を固定することが可能な型枠固定金具およびこれを用いた型枠の設置方法に関するものである。
【背景技術】
【０００２】
例えば、コンクリート基礎を構築する際には、捨てコンクリート上にコンクリート用の型枠を設置し、型枠で囲まれた空間にコンクリートを打設することで、基礎が構築される。この際には、例えば捨てコンクリート上の所定の位置に、型枠を設置して固定する必要がある。
【０００３】
型枠を固定する方法としては、例えば、型枠の外周部に、アングルやパイプなどのバタ材を縦横に配置して、コンクリートの打設空間を構築する方法がある（特許文献１）。
【０００４】
また、ブーメラン形状の本体の左右の翼部に、本体と直交する楔部を形成し、型枠の内側に配置した角締め金具をステーロッドに固定して型枠を挟み込み、ステーロッドのスリットに楔部を挿入して型枠を締結する方法がある（特許文献２）。
【先行技術文献】
【特許文献】
【０００５】
【特許文献１】特開２００６−９３８４号公報
【特許文献２】特開平９−１４４３１３号公報
【発明の概要】
【発明が解決しようとする課題】
【０００６】
しかし、従来の方法は、型枠の固定構造が複雑であり、型枠を設置して固定するための作業工数を要する。このため、より簡易な構造による、型枠の固定方法が要求される。
【０００７】
また、型枠の設置位置はあらかじめ決められ、型枠の設置位置には、例えばコンクリート等の上面に対する墨出しが行われる。しかし、型枠を配置した後に、型枠外周側に固定部材を配置して連結すると、作業時に型枠の配置がずれる場合があり、墨出し通りに型枠を設置することが困難な場合がある。特に、型枠の角部においては、一対の型枠を墨出し通りに正確に配置して固定する作業は容易ではない。
【０００８】
本発明は、このような問題に鑑みてなされたもので、施工作業性に優れ、精度よく型枠を配置することが可能な型枠固定金具等を提供することを目的とする。
【課題を解決するための手段】
【０００９】
前述した目的を達成するため、第１の発明は、型枠用の固定金具であって、平板部と、前記平板部に対して起立し、互いに所定の角度で前記壁部に略平行に形成される一対の壁部と、前記平板部に形成され、前記所定の角度で形成される一対の直線部と、前記平板部に形成され、前記直線部の延長線の交点近傍に形成される孔又は切欠き部と、を具備することを特徴とする型枠固定金具である。
【００１０】
前記壁部と対向する位置に、前記平板部に対して突起部が起立し、前記壁部と前記突起部との間に型枠を挿入可能であることが望ましい。
【００１１】
第１の発明によれば、孔又は切欠き部が形成されるため、墨出しの交点の位置を合わせることが容易であり、正確な位置に型枠固定金具をコンクリートに容易に設置することができる。また、壁部に沿って型枠を配置することが可能であるため、型枠の設置が容易である。
【００１２】
また、ガイド部を形成することで、型枠を壁部とガイド部との間に挿入することができるため、型枠の配置が容易である。
【００１３】
第２の発明は、コンクリートの上面の型枠の設置位置に墨出しを行い、墨線の交点に第１の発明にかかる型枠固定金具の前記孔または切欠きの位置を合わせ、前記直線部を、墨線の直線に合わせて前記型枠固定金具を配置して、コンクリートに前記型枠固定金具を固定し、前記型枠固定金具に、一対の型枠を設置して固定することを特徴とする型枠の設置方法である。
【００１４】
前記一対の型枠の上部から、前記型枠固定金具を設置して固定してもよい。
【００１５】
第２の発明によれば、まず型枠固定金具をコンクリート上に設置した後に、型枠固定金具に対して型枠を設置するため、型枠の設置が容易であり、型枠の位置決めも容易である。
【００１６】
また、型枠の上部にも型枠固定金具を設置することで、型枠のずれを抑制し、確実の型枠を固定することができる。
【発明の効果】
【００１７】
本発明によれば、施工作業性に優れ、精度よく型枠を配置することが可能な型枠固定金具等を提供することができる。
【図面の簡単な説明】
【００１８】
【図１】型枠固定金具１を示す斜視図。
【図２】型枠固定金具１を設置した状態を示す平面図。
【図３】型枠固定金具１に型枠１７を設置した状態を示す平面図。
【図４】型枠１７に型枠固定金具１を固定した状態を示す平面図。
【図５】型枠１７に型枠固定金具１を固定した状態を示す正面図。
【図６】型枠固定金具１ａを示す斜視図。
【図７】型枠固定金具１ａを設置した状態を示す平面図。
【図８】型枠固定金具１ａに型枠１７を設置した状態を示す平面図。
【図９】型枠１７に型枠固定金具１ａを固定した状態を示す平面図。
【発明を実施するための形態】
【００１９】
以下、本発明の実施の形態にかかる型枠固定金具１について説明する。図１は、型枠固定金具１を示す斜視図である。型枠固定金具１は、型枠を固定するための金具であって、平板部３、壁部５等から構成される。
【００２０】
平板部３は、略平坦な部位であり、平板部３の端部に、平板部３に対して略垂直に起立する一対の壁部５が形成される。一対の壁部５は、互いに所定の角度で形成される。図示した例では、一対の壁部５同士が、略９０度の角度で形成される。
【００２１】
平板部３の一部には、直線部７が形成される。直線部７は、それぞれの壁部５と略平行に形成される。すなわち、一対の直線部７同士は、一対の壁部５の形成角度と同様の角度で形成される。なお、壁部５と直線部７とは所定の間隔をあけて形成される。壁部５と直線部７との間隔は、型枠の厚みに対応する。
【００２２】
それぞれの直線部７の延長線上であって、それぞれの延長線の交点近傍には、孔９が形成される。孔９は、例えば円形の貫通孔である。
【００２３】
型枠固定金具１は、例えば、金属板からプレス加工によって一体で構成することができる。なお、平板部３や壁部５に、型枠等を固定するための固定用孔を形成してもよい。
【００２４】
次に、型枠固定金具１を用い、捨てコンクリート上に型枠を設置する方法について説明する。まず、図２に示すように、コンクリート１１の上面の型枠の設置位置に墨出しを行い、墨線１３を形成する。墨線１３は、例えば、施工予定のコンクリート基礎のコンクリート打設外面位置に形成される。すなわち、墨線１３が、型枠の内面位置となる。
【００２５】
ここで、コンクリート基礎の打設範囲を囲むように複数枚の型枠が設置される。したがって、型枠同士を所定の角度で突き合せる部位が生じる。この場合、墨線１３同士が所定の角度で交差することになる。
【００２６】
型枠固定金具１は、孔９を有するため、墨線１３の交点１５を、孔９の略中心の位置に合わせて型枠固定金具１を配置することで、確実に型枠設置位置に型枠固定金具１を配置することができる。この際、型枠固定金具１は、それぞれの直線部７が、それぞれの墨線１３の直線の位置に合うように調整される。この状態で、平板部３に形成された固定用孔（図示省略）によって、型枠固定金具１がコンクリート１１に固定される。なお、コンクリート１１へ固定するための固定用孔は、少なくとも２カ所あることが望ましく、その内の一つを、孔９で代用してもよい。
【００２７】
次に、図３に示すように、型枠固定金具１に型枠１７を配置する。この際、型枠１７の背面の一部は、壁部５の内面に接触させ、一対の型枠１７の突合せ部が、孔９の略中心（交点１５）の位置に来るように調整する。このようにすることで、型枠１７の設置位置を容易に把握することができ、確実に型枠１７を所望の位置に配置することができる。なお、型枠１７は、木製であってもよく、金属製であってもよい。また、型枠１７は、壁部５に形成された固定用孔（図示省略）によって、型枠固定金具１に固定される。
【００２８】
次に、図４に示すように、一対の型枠１７の上部に、型枠固定金具１を設置する。この際、孔９からは、型枠１７同士の突合せ部を視認することができるため、型枠１７のずれなどを抑制することができる。なお、型枠固定金具１は、壁部５や平板部３に形成された固定用孔（図示省略）によって、型枠１７に固定される。
【００２９】
図５は、型枠１７の設置状態を示す正面図である。なお、型枠１７同士の突合せ部（コーナー部）には、別途、Ｌアングルなどの補強金具を外側から設置して、隙間を埋めてもよい。また、打設されるコンクリート基礎の角が９０度以外の場合には、壁部５および直線部７の形成角度を、当該角度に合わせて設計すればよい。
【００３０】
以上、本実施の形態によれば、型枠１７の設置位置を容易に把握することができるため、型枠固定金具１を容易に精度よく設置することができる。また、型枠固定金具１の壁部５に沿って型枠１７を配置し、型枠１７の先端を孔９に合わせればよいため、型枠１７の位置合わせが容易である。このため、型枠１７を精度よく配置することができる。
【００３１】
また、型枠１７の上端部にも、型枠固定金具１を配置することで、型枠１７のずれを抑制することができる。この際、孔９によって、型枠１７の突合せ位置を視認することができるため、精度よく、型枠１７を固定することができる。
【００３２】
また、平板部３に固定用孔を形成することで、型枠固定金具１をコンクリート１１上に固定する際に使用することができる。また、平板部３や壁部５に固定用孔を形成することで、型枠１７と型枠固定金具１とを固定する際に使用することができる。
【００３３】
次に、第２の実施形態について説明する。図６は、第２の実施形態にかかる型枠固定金具１ａの斜視図である。なお、以下の説明において、型枠固定金具１等と同一の機能を奏する構成については、図１〜図５と同一の符号を付し、重複する説明を省略する。
【００３４】
型枠固定金具１ａは、型枠固定金具１とほぼ同様の構成であるが、突起部１９が形成される点で異なる。また、突起部１９の形成に伴い、孔９に代えて、切欠き部９ａが形成される点で異なる。
【００３５】
突起部１９は、平板部３に対して略垂直に起立し、それぞれの壁部５と対向する位置に形成される。また、壁部５に対向する突起部１９の位置は、直線部７の延長線上に位置する。すなわち、壁部５と直線部７との間の距離と、壁部５と突起部１９との間の距離はほぼ一致する。
【００３６】
なお、図示した例では、突起部１９は平板部３の一部が折曲げられて形成される。この際、折曲げ部が、壁部５に略垂直な方向となるように、突起部１９が起立する。この場合には、突起部１９と壁部５は略垂直な向きとなる。なお、突起部１９の形成位置や形成方向は、図示した例には限られない。
【００３７】
切欠き部９ａは、直線部７の延長線の交点近傍に形成される。切欠き部９ａは、前述した孔９と同様の機能を奏する。すなわち、直線部７の延長線の交点近傍に、孔９または切欠き部９ａのような、平板部３に対する貫通部が形成されればよい。
【００３８】
次に、型枠固定金具１ａを用い、コンクリート上に型枠１７を設置する方法について説明する。まず、図７に示すように、コンクリート１１の上面の型枠の設置位置に墨出しを行い、墨線１３を形成する。墨線１３は、例えば、施工予定のコンクリート基礎のコンクリート打設外面位置に形成される。すなわち、墨線１３が、型枠の内面位置となる。
【００３９】
次に、前述したように、墨線１３の交点１５を、切欠き部９ａの略中心の位置に合わせて型枠固定金具１ａを配置する。この状態で、平板部３に形成された固定用孔（図示省略）によって、型枠固定金具１ａがコンクリート１１に固定される。
【００４０】
次に、図８に示すように、型枠固定金具１ａに型枠１７を配置する。この際、型枠１７の背面の一部を、壁部５の内面に接触させ、壁部５と突起部１９との間に型枠１７を挿入する。また、一対の型枠１７の突合せ部が、切欠き部９ａの略中心（交点１５）の位置に来るように調整する。このようにすることで、確実に型枠１７を所望の位置に配置することができる。なお、型枠１７は、壁部５に形成された固定用孔（図示省略）によって、型枠固定金具１ａに固定される。
【００４１】
次に、図９に示す様に、一対の型枠１７の上部に、型枠固定金具１ａを設置する。この際、切欠き部９ａからは、型枠１７同士の突合せ部を視認することができるため、型枠１７のずれなどを抑制することができる。なお、型枠固定金具１ａは、壁部５や平板部３に形成された固定用孔（図示省略）によって、型枠１７に固定される。
【００４２】
以上、第２の実施の形態によれば、第１の実施形態と同様の効果を得ることができる。また、突起部１９が形成されるため、型枠１７の位置決めがより容易となり、位置ずれを抑制することができる。
【００４３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４４】
１、１ａ………型枠固定金具
３………平板部
５………壁部
７………直線部
９………孔
９ａ………切欠き部
１１………コンクリート
１３………墨線
１５………交点
１７………型枠
１９………突起部
【図１】
2019027137.tif 000003
【図２】
2019027137.tif 000004
【図３】
2019027137.tif 000005
【図４】
2019027137.tif 000006
【図５】
2019027137.tif 000007
【図６】
2019027137.tif 000008
【図７】
2019027137.tif 000009
【図８】
2019027137.tif 000010
【図９】
2019027137.tif 000011